(57)【特許請求の範囲】
【請求項１】
スピーカーユニットと、
表示装置が装着される装着部が設けられるとともに、該装着部の上方又は下方で上記スピーカーユニットを、上記表示装置の表示面が臨む方向と同方向に向けて支持するスタンドとを備え、
上記スピーカーユニットは、少なくとも上記表示面と同方向に臨む構成要素の一部が上記表示装置の幅方向と平行に移動可能とされているスピーカー装置。
【請求項２】
上記スピーカーユニットは、スピーカーボックスと、上記スピーカーボックスの上記表示面と同方向に臨む前面に設けられたグリルネットとを有し、
上記グリルネットが、上記表示装置の幅方向と平行に移動可能とされていることを特徴とする請求項１記載のスピーカー装置。
【請求項３】
上記スピーカーボックスの前面は、上記グリルネットが上記表示装置の幅方向に移動されることにより現れる領域が、上記グリルネットによって遮蔽されていない領域と均一の外観を有することを特徴とする請求項２記載のスピーカー装置。
【請求項４】
上記グリルネットの背面を覆う光遮蔽部材を備え、該光遮蔽部材は、上記グリルネットの上記スピーカーボックスよりも外に移動した部分を覆うことを特徴とする請求項２記載のスピーカー装置。
【請求項５】
上記スピーカーユニットは、スピーカーボックスと、上記スピーカーボックスの上記表示面と同方向に臨む前面に設けられたグリルネットとを有し、
上記スピーカーボックス及び上記グリルネットが、上記表示装置の幅方向と平行に移動可能とされていることを特徴とする請求項１記載のスピーカー装置。
【請求項６】
上記スピーカーユニットは、上記表示装置の幅方向に離間して、一対の上記スピーカーボックス及び上記グリルネットがそれぞれ設けられていることを特徴とする請求項２又は請求項５記載のスピーカー装置。
【請求項７】
上記スピーカーユニットは、上記表示装置の幅方向の側面と、上記一対のスピーカーボックス又はグリルネットの側面とが略面一となるように移動位置が規制されることを特徴とする請求項６記載のスピーカー装置。
【請求項８】
上記スタンドは、上記スピーカーボックス及びグリルネットを支持する支持部を有し、
上記支持部の上記表示面と同方向に臨む前面は、上記スピーカーボックス及び上記グリルネットが上記表示装置の幅方向に移動されることにより現れる領域が、上記グリルネットによって遮蔽されていない領域と均一の外観を有することを特徴とする請求項５記載のスピーカー装置。
【請求項９】
上記スピーカーボックスの位置を検出する位置検出手段と、
検出された上記スピーカーボックスの位置に応じて、音響出力の音像位置補正処理を施す音像位置補正手段とを備えることを特徴とする請求項５記載のスピーカー装置。
【請求項１０】
上記位置検出手段は、上記スピーカーボックスの移動距離を検知することにより、移動後の上記スピーカーボックスの位置を検出することを特徴とする請求項９記載のスピーカー装置。
【請求項１１】
上記位置検出手段は、上記スピーカーボックスの位置情報を検知することにより、移動後の上記スピーカーボックスの位置を検出することを特徴とする請求項９記載のスピーカー装置。
【請求項１２】
上記スピーカーユニットは、上記装着部に上記表示装置が装着された状態で、上記構成要素の一部が上記表示装置の幅方向に移動可能とされていることを特徴とする請求項１記載のスピーカー装置。
【請求項１３】
上記装着部には、上記表示装置の高さ方向の大きさに応じた取付孔が複数形成されていることを特徴とする請求項１記載のスピーカー装置。
【発明の詳細な説明】
【技術分野】
【０００１】
本発明は、音声信号を音響出力に変換するスピーカー装置に関し、特に任意の大きさの表示装置が装着可能とされたスタンドに設けられ、当該表示装置とともに一体的な外観を奏するスピーカー装置に関する。
【背景技術】
【０００２】
従来より、薄型テレビなどのディスプレイ装置を載置する為のラックに、複数のスピーカー装置、ＤＳＰ（Ｄｉｇｉｔａｌ  Ｓｉｇｎａｌ  Ｐｒｏｃｅｓｓｅｒ）、アンプ装置等を内蔵させたオーディオ装置が知られている。かかるオーディオ装置は、サウンドラックあるいはオーディオラックとも呼ばれ、優れた音響特性を備えたオーディオ機器とディスプレイ装置を載置するラックとが一体的にデザインされている。そしてサウンドラックは、ディスプレイ装置と接続されることにより、画面に表示される映像にあわせて音響信号を立体的で臨場感のある音像で再生することができる。
【０００３】
しかし、ディスプレイ装置のサイズは様々で、これらをサウンドラックに載置した場合、ディスプレイ装置とオーディオ機器との巾も違い、デザイン的な統一感を奏することが困難であった。
【０００４】
また、ディスプレイ装置の下方にオーディオ装置を配置し一体型として仕上げた製品も知られている。かかるディスプレイ装置・オーディオ装置一体型の製品は、デザイン性や操作性、接続性などは良好であるものの、一方では、自分の好きなディスプレイとオーディオ装置を組み合わせる事が出来ない、或いは、ディスプレイ装置を既に持っている等の場合、オーディオ装置のみを追加する事が不可能等の不都合な点もあった。
【０００５】
また、ディスプレイ装置・オーディオ装置一体型の製品には、ディスプレイ装置の前面側に該ディスプレイ装置と略同一の大きさを有するパネル型のオーディオ装置が昇降可能に配設されたものも知られている。これは薄型ディスプレイ装置の前面に配設されたパネル型のオーディオ装置がディスプレイ装置の前側で昇降することにより、ディスプレイ装置を使わない場合はオーディオ装置が画像表示部を覆い隠し、デザイン性および音響特性の優れたオーディオ機器として用いられ、一方、ディスプレイ装置を使う場合にはオーディオ装置が下降してディスプレイ装置を出現させ、良好な映像及び優れた音響を提供するオーディオ・ディスプレイ装置として用いられるものである。
【０００６】
しかし、かかるオーディオ・ディスプレイ装置においても、オーディオ機器やディスプレイ装置としての操作性や接続性、デザイン性などは良好であるものの、一方では、自分の好きなディスプレイ装置とオーディオ装置を組み合わせる事が出来ない、或いは、ディスプレイ装置を既に持っている等の場合、オーディオ装置のみを追加する事が不可能等の不都合な点もあった。また、薄型ディスプレイ装置に加え、オーディオ装置、ディスクプレーヤー、さらにはオーディオ部分を昇降動作させる為の昇降装置なども内蔵させなければならないため、部品点数が多くなりコスト的に高くなる等の問題があった。
【０００７】
【特許文献１】特開２００７−６２８１号公報
【発明の開示】
【発明が解決しようとする課題】
【０００８】
本発明は上述の実情を鑑みて提案されるもので、構成が簡単で部品点数が少なく、デザイン的に良好でディスプレイ装置との一体感があり、良好な音響を提供しながらも、ディスプレイ装置は任意のものを選択可能なスピーカー装置を提供することを目的とする。
【課題を解決するための手段】
【０００９】
上述した課題を解決するために、本発明に係るスピーカー装置は、スピーカーユニットと、表示装置が装着される装着部が設けられるとともに、該装着部の上方又は下方で上記スピーカーユニットを、上記表示装置の表示面が臨む方向と同方向に向けて支持するスタンドとを備え、上記スピーカーユニットは、少なくとも上記表示面と同方向に臨む構成要素の一部が上記表示装置の幅方向と平行に移動可能とされているものである。
【発明の効果】
【００１０】
本発明に係るスピーカー装置によれば、スピーカーユニットの前面側に臨む構成要素の一部が表示装置の幅方向と平行に移動可能とされることにより、表示装置の幅に合わせてスピーカーユニットを移動させ、あたかも当該表示装置と一体に制作された製品としての外観を創出することができる。したがって、本発明に係るスピーカー装置は、外観デザインを損なうことなく表示装置との一体感を創出することができるため、ユーザが任意の表示装置を選択できる。
【発明を実施するための最良の形態】
【００１１】
以下、本発明が適用されたスピーカー装置について、図面を参照しながら詳細に説明する。図１に示すように、このスピーカー装置１は、薄型の液晶テレビやプラズマテレビなどのディスプレイ装置が装着されるスタンド２に、スピーカーユニット３及びプレーヤユニット４からなるオーディオユニット５が配設されている。スピーカー装置１は、たとえば映画館で臨場感のある音響効果を実現するために開発された５．１ｃｈサラウンドスピーカーを構成する６つのスピーカーを有し、ディスプレイ装置と接続されることにより、ディスプレイ装置の映像に応じて立体的で迫力のある音像を提供することができるものである。
【００１２】
かかるスピーカー装置１は、スピーカーユニット３及びプレーヤユニット４を有するオーディオユニット５と、オーディオユニット５及び薄型のディスプレイ装置６が配設されるスタンド２とを備える。
【００１３】
図２に、図１よりディスプレイ装置６を除いた状態でスピーカー装置１を示す。スタンド２は、床などへの載置面となるスタンドベース１０と、スタンドベース１０より立設されたフレーム１１と、フレーム１１の上部に形成されディスプレイ装置６を締結して装着させる装着板１２とを有する。図３に示すように、装着板１２は、略矩形状の金属板からなり、異なるサイズのディスプレイ装置５を取付け可能とする為に、取付け孔１２ａが複数箇所に穿設されている。また、装着板１２は、ディスプレイ装置６の下面６ａとオーディオユニット５の上面５ａとが、互いに接近して対峙する位置にディスプレイ装置６を支持する為に、上下方向にも取付け孔１２ａが複数箇所に穿設されている。
【００１４】
フレーム１１は、装着板１２の下部にオーディオユニット５が配設されている。オーディオユニット５は、プレーヤユニット４とプレーヤユニット４の左右に配設された一対のスピーカーユニット３とを備える。オーディオユニット５は、左右一対のスピーカーユニット４とプレーヤユニット４とが、各上辺及び下辺が連続されることにより全体として水平方向を長手方向とする略矩形状をなし、統一感のある外観デザインを有する。
【００１５】
プレーヤユニット４は、ＣＤやＤＶＤ、ＢＤ等の各種記録媒体に対して情報信号の記録及び／又は再生を行うプレーヤ部１５と、記録再生情報やプレーヤユニット４の操作情報等を表示する表示部１６と、コントロールつまみや操作ボタン等を備えた操作部１７が形成されている。また、図４に示すように、プレーヤユニット４は、スピーカーユニット３の位置に応じて音像位置を調整しスピーカーユニット３から最適な状態で出力が行われるようにするＤＳＰ（Digital Signal Processer）１８と、このＤＳＰ１８から出力された音響信号を所定のレベルで各スピーカーユニット３に供給するサラウンドアンプ１９と、ＤＳＰ１８に対して所定の音像や音場等の補正操作を行わせるＣＰＵ２３が内蔵されている。さらにプレーヤユニット４は、赤外線リモコン２１からの操作信号を受光する受光部２０が形成され、離れた場所から主電源のＯＮ／ＯＦＦ、ファンクション切り替え、音量調整等の各種操作を行うことができるようになっている。
【００１６】
プレーヤユニット４から供給された音響信号を出力するスピーカーユニット３は、プレーヤユニット４の左右に一対のスピーカーボックス２２Ｒ，２２Ｌが配設されている。各スピーカーボックス２２Ｒ，２２Ｌは、内部を２つの空間（キャビティー）に区切り、キャビティー内にフロントスピーカー及びサラウンドスピーカーを内蔵している。具体的に、スピーカーボックス２２Ｒ，２２Ｌは、それぞれフロントスピーカー用キャビティー及びサラウンドスピーカー用キャビティーが設けられており、右スピーカーボックス２２ＲにはフロントＲスピーカー２４とサラウンドＲスピーカー２５が配設され、左スピーカーボックス２２ＬにはフロントＬスピーカー２６とサラウンドＬスピーカー２７が配設されている。
【００１７】
また、図５に示すように、スピーカーユニット３は、フレーム１１のプレーヤユニット４の下部にセンタースピーカー２８が配設され、またスタンドベース１０に設けられたサブウーハーボックス２９内にサブウーハー３０が配設されている。これによりスピーカー装置１は、５．１ｃｈのサラウンドスピーカーシステムが構築されている。
【００１８】
なお、本発明が適用されたスピーカー装置は、かかる５．１ｃｈサラウンドスピーカーシステムに限らず、スピーカーの構成や配置は適宜変更することができる。たとえば、左右一対のスピーカーボックス２２Ｒ，２２Ｌは、左右独立構造としたステレオ２ｃｈの再生に最適な構造や、ボックス内部を一体に形成したモノーラル再生に適した構造のものであってもよく、また各スピーカーボックス２２Ｒ，２２Ｌに形成された２つのキャビティーに低音用スピーカーと高音用スピーカーをそれぞれ配設するようにしてもよい。
【００１９】
かかるスピーカーボックス２２は、ディスプレイ装置６の画像表示面と同じ向きとなる前面２２ａがユーザから視認される体裁面として表面処理が施されている。表面処理としては、例えば塗装、木目調あるいはカラーのフィルムラッピング、シボ加工、鏡面加工等が挙げられる。またスピーカーボックス２２は、前面２２ａに、グリルネット３１が水平方向にスライド自在に取り付けられている。本発明が適用されたスピーカー装置１は、このスピーカーボックス２２にスライド自在に取り付けられたグリルネット３１を、装着板１２に締結支持されたディスプレイ装置６の幅に合わせてスライドさせることで、統一的な外観デザインを作り出すものである。このため、グリルネット３１は、装着部１２にディスプレイ装置６が装着された状態でスライド可能に設計されている。
【００２０】
グリルネット３１は、スピーカーボックス２２の前面２２ａをほぼ覆うことができる大きさを有する略矩形状に形成されている。このグリルネット３１は、図６〜図８に示すように、スピーカーボックス２２の前面２２ａと対峙する背面側にボス３３が立設されている。ボス３３は、スピーカーボックス２２の前面２２ａに開口された支持孔３４に挿入されることによりグリルネット３１をスピーカーボックス２２の前面２２ａに装着させるものである。
【００２１】
ボス３３は、先端が円弧状に形成された略円柱状に形成され、グリルネット３１の長手方向に離間して上下側縁近傍に各２カ所ずつ立設されている。また、図７に示すように、ボス３３は、先端側に周回方向に亘って小径部３３ａが形成されている。このボス３３が挿入される支持孔３４は、スピーカーボックス２２の前面２２ａの長手方向に離間して上下側縁近傍に複数形成されている。支持孔３４は、ボス３３に応じて一端が開放端とされた略円筒形状をなすキャッチャー３５が配設されている。キャッチャー３５は、ゴム等の弾性部材を用いて形成され、ボス３３の小径部３３ａに対応して内周壁に周回方向に亘って係止突部３５ａが形成されている。そして、支持孔３４は、ボス３３が挿入されるとキャッチャー３５の係止突部３５ａがボス３３の小径部３３ａに係合することによりグリルネット３１を保持する。
【００２２】
スピーカーボックス２２は、かかる支持孔３４がグリルネット３１のボス３３の立設間隔に対応して一対ずつ形成され、かつ、この一対の支持孔３４がスピーカーボックス２２の長手方向に沿って複数形成されている。一対の支持孔３４の形成間隔は、グリルネット３１の両側縁と装着板１２に装着されるディスプレイ装置６の両側縁とが略面一となるように設計される。すなわち、ディスプレイ装置６は規格によって画像表示部の縦横サイズが定まっており、これにより装着板１２に装着されたときの幅方向の両側面の位置がほぼ特定される。したがって、一対の支持孔３４は、ディスプレイ装置６の幅の規格に応じて間隔を設定することにより、左右のグリルネット３１を、いずれのサイズのディスプレイ装置６に対してもその両側面と略面一となる位置に保持することができる。なお、図８（ａ）に示すように、グリルネット３１は、もっとも小さいサイズのディスプレイ装置６に応じてスピーカーボックス２２の内側、すなわち幅方向のプレーヤユニット４側に保持されたとき、外側面３１ａがスピーカーボックス２２の外側面２２ｂと略面一とされる。
【００２３】
ここで、図８（ｂ）に示すように、グリルネット３１は、大型のディスプレイ装置６に対応して、グリルネット３１がスピーカーボックス２２の最も外側、すなわち幅方向のプレーヤユニット４と反対側に保持された場合でも、最も内側に形成された支持孔３４が外部に露出しない位置にボス３３が立設されている。これによりスピーカー装置１は、スピーカーボックス２２の前面２２ａに支持孔３４が露出することなく、外観デザインを損なうことがない。
【００２４】
また、図９に示すように、スピーカーボックス２２は、グリルネット３１が最も内側に保持されたときにも、前面２２ａの内側が一部露出されている。したがって、図１０及び図１１に示すように、スピーカーボックス２２は、グリルネット３１が外側へ移動されると、この前面２２ａの露出領域が外側へ拡大することになる。ここで、上述したように、スピーカーボックス２２の前面２２ａは、ユーザから視認される体裁面として表面処理が施されており、グリルネット３１の移動に伴い露出領域が外側に拡大しても、当初より露出していた体裁面が外側に拡大しただけであるため、外観デザインに違和感を与えることがなく、あたかも最初からグリルネット３１は外側に位置していたかのように見せることができる。
【００２５】
したがって、スピーカー装置１は、装着板１２に装着されるディスプレイ装置６の幅が、オーディオユニット５の幅よりも広い場合でも、スピーカーボックス２２の前面２２ａに装着されるグリルネット３１をディスプレイ装置６の幅方向に移動させることで、あたかもディスプレイ装置６の幅に最初から合わせて制作された製品としての外観を創出することができ、一体感のある外観デザインを得ることができる。したがって、スピーカー装置１は、ディスプレイ装置６のサイズにかかわらず、統一感を出すことができるため、あらかじめ所有するディスプレイ装置６や自分の好みにあったディスプレイ装置６を選択することができる。
【００２６】
なお、スピーカー装置１は、ボス３３をスピーカーボックス２２に立設させ、キャッチャー３５をグリルネット３１に形成することもできる。
【００２７】
また、スピーカー装置１は、ボス３３及びキャッチャー３５に代えて、面ファスナーを用いてグリルネット３１を移動させることもできる。すなわち、図１２〜図１４に示すように、スピーカーボックス２２及びグリルネット３１には、上側縁及び下側縁にそれぞれ面ファスナー４０が設けられている。面ファスナー４０は、スピーカーボックス２２及びグリルネット３１の長手方向に沿って断続的、あるいは連続して設けられ、また、図１３に示すように、スピーカーボックス２２に設けられる面ファスナー４０ａと、グリルネット３１に設けられる面ファスナー４０ｂとは、互いに対峙する位置に設けられている。
【００２８】
そして、グリルネット３１は、面ファスナー４０ｂをスピーカーボックス２２側に配設されている面ファスナー４０ａに接着させることにより、前面２２ａの任意の位置に装着させることができる。これにより、グリルネット３１は、スタンド２に装着されたディスプレイ装置６の幅に合わせた位置に装着することで、デザインの統一感を出すことができる。また、面ファスナー４０ａ，４０ｂは、長尺状に形成されているため、規定の画面サイズに製造されたディスプレイ装置６であっても、装置全体の幅サイズにはばらつきが生じ得るが、かかるばらつきにも係わらず、ディスプレイ装置６の側面とグリルネット３１の側面とを面一とすることができる。
【００２９】
ここで、図１４に示すように、スピーカーボックス２２は、大型のディスプレイ装置６に対応して、グリルネット３１がスピーカーボックス２２の最も外側に保持された場合でも、前面２２ａに設けられた面ファスナー４０ａがグリルネット３１によって外部に露出しない位置に面ファスナー４０ａが設けられている。これによりスピーカー装置１は、スピーカーボックス２２の前面２２ａに面ファスナー４０ａが露出することなく、外観デザインを損なうことがない。なお、スピーカー装置１は、スピーカーボックス２２に設けられた面ファスナー４０ａの露出しない範囲をグリルネット３１の移動限界とし、これよりも外側に外側面が位置するディスプレイ装置６は、当該スピーカー装置１への装着対象外となる。
【００３０】
また、スピーカーボックス２２及びグリルネット３１に設けられる面ファスナー４０ａ，４０ｂは、断続的に設けるとともに、隣接する面ファスナー４０との間隔をディスプレイ装置６の規格化された幅サイズに応じて設定することもできる。これにより、グリルネット３１の面ファスナー４０ｂを、スピーカーボックス２２の面ファスナー４０ａに対峙させて接着させることにより、グリルネット３１を、いずれのサイズのディスプレイ装置６に対してもその両側面と略面一となる位置に保持することができ、位置あわせを簡略に行うことができる。
【００３１】
また、図１４（ａ）に示すように、スピーカーボックス２２は、グリルネット３１の外側面３１ａをスピーカーボックス２２の外側面２２ｂと略面一とさせることによりスピーカーボックス２２の最も内側に保持されたときにも、前面２２ａの内側が一部露出されている。したがって、スピーカーボックス２２は、グリルネット３１が外側へ移動されると、この前面２２ａの露出領域が外側へ拡大することになる。ここで、上述したように、スピーカーボックス２２の前面２２ａは、ユーザから視認される体裁面として表面処理が施されており、グリルネット３１の移動に伴い露出領域が外側に拡大しても、当初より露出していた体裁面が外側に拡大しただけであるため、外観デザインに違和感を与えることがなく、あたかも最初からグリルネット３１は外側に位置していたかのように見せることができる。
【００３２】
また、スピーカー装置１は、上述した以外にも、ガイド軸及び軸受けをスピーカーボックス２２及びグリルネット３１に設けることによりグリルネット３１を移動させることもできる。すなわち、図１５〜図１７に示すように、スピーカーボックス２２の前面２２ａには、上側縁及び下側縁に、長手方向に離間して一対の軸受け５０，５０が設けられ、グリルネット３１には、上側縁及び下側縁に、長手方向に沿って軸受け５０，５０を挿通するガイド軸５１，５１が設けられている。
【００３３】
グリルネット３１は、スピーカーボックス２２の前面２２ａと対峙する背面側が凹面に形成され、内外両側面３１ａ，３１ｂにガイド軸５１，５１を支持する支持部５２，５２が形成されている。そしてグリルネット３１は、ガイド軸５１が軸受け５０に挿通することにより、前面２２ａにガイド軸５１の軸線方向に沿って移動自在に装着される。これにより、グリルネット３１は、スタンド２に装着されたディスプレイ装置６の幅に合わせた位置に移動することで、デザインの統一感を出すことができる。
【００３４】
グリルネット３１は、軸受け５０と外側面３１ａとが当接することによりその移動が規制され、その移動範囲は軸受け５０，５０の位置によって規定される。すなわち、図１７（ａ）に示すように、グリルネット３１は、外側の外側面３１ａがスピーカーボックス２２の外方に設けられた軸受け５０に当接することにより、スピーカーボックス２２の前面２２ａの最も内側への移動位置が決まる。このときスピーカーボックス２２は、外側面２２ｂがグリルネット３１の外側面３１ａと略面一とされ、また前面２２ａの内側が一部露出されている。したがって、スピーカーボックス２２は、グリルネット３１が外側へ移動されると、この前面２２ａの露出領域が外側へ拡大することになる。ここで、上述したように、スピーカーボックス２２の前面２２ａは、ユーザから視認される体裁面として表面処理が施されており、グリルネット３１の移動に伴い露出領域が外側に拡大しても、当初より露出していた体裁面が外側に拡大しただけであるため、外観デザインに違和感を与えることがなく、あたかも最初からグリルネット３１は外側に位置していたかのように見せることができる。
【００３５】
また、図１７（ｂ）に示すように、グリルネット３１は、内側面３１ｂがスピーカーボックス２２の内側に設けられた軸受け５０に当接することにより、スピーカーボックス２２の最も外側への移動位置が決まる。このように、スピーカーボックス２２は、グリルネット３１の移動位置にかかわらず、前面２２ａに設けられた軸受け５０は、常にグリルネット３１の背面凹部内に位置し、外方に露出することがない。したがって、スピーカー装置１は、軸受け５０が外部に露出することなく、外観デザインを損なうことがない。
【００３６】
また、スピーカー装置１は、上述した以外にも、ガイド溝及びガイド凸部をスピーカーボックス２２及びグリルネット３１に設けることにより、グリルネット３１を移動させることができる。すなわち、図１８〜図２０に示すように、スピーカーボックス２２の前面２２ａには、上側縁及び下側縁に、長手方向に離間して一対のガイド凸部６０，６０が設けられ、グリルネット３１には上側縁及び下側縁に、長手方向に沿ってガイド凸部６０が係合するガイド溝６１が形成されている。
【００３７】
図１８に示すように、スピーカーボックス２２の前面２２ａに設けられるガイド凸部６０は、略Ｌ字状に形成され、上側縁に設けられたガイド凸部６０の先端６０ａは上方に向けられ、下側縁に設けられたガイド凸部６０の先端６０ａは下方に向けられている。また、グリルネット３１は、スピーカーボックス２２の前面２２ａと対峙する背面側が凹面に形成され、上下両側壁３１ｃ，３１ｄにガイド凸部６０が係合するガイド溝６１が長手方向に沿って形成されている。そして、図１９に示すように、グリルネット３１は、ガイド凸部６０の先端６０ａがガイド溝６１に係合することにより、前面２２ａにガイド溝６１に沿って移動自在に装着される。これにより、グリルネット３１は、スタンド２に装着されたディスプレイ装置６の幅に合わせて外側面３１ａをディスプレイ装置６の外側面と略面一となる位置に移動することで、デザインの統一感を出すことができる。
【００３８】
グリルネット３１の移動は、ガイド凸部６０がガイド溝６１の左右両端面に当接することにより規制され、その移動範囲は、ガイド溝６１の長さによって規定される。すなわち、図２０（ａ）に示すように、グリルネット３１は、スピーカーボックス２２の外方に設けられたガイド凸部６０の先端６０ａがガイド溝６１の外側の端面に当接することにより、スピーカーボックス２２の前面２２ａの最も内側への移動位置が決まる。このときスピーカーボックス２２は、外側面２２ｂがグリルネット３１の外側面３１ａと略面一とされ、また、前面２２ａの内側が一部露出されている。したがって、スピーカーボックス２２は、グリルネット３１が外側へ移動されると、この前面２２ａの露出領域が外側へ拡大することになる。ここで、上述したように、スピーカーボックス２２の前面２２ａは、ユーザから視認される体裁面として表面処理が施されており、グリルネット３１の移動に伴い露出領域が外側に拡大しても、当初より露出していた体裁面が外側に拡大しただけであるため、外観デザインに違和感を与えることがなく、あたかも最初からグリルネット３１は外側に位置していたかのように見せることができる。
【００３９】
また、図２０（ｂ）に示すように、グリルネット３１は、スピーカーボックス２２の内側に設けられたガイド凸部６０の先端６０ａがガイド溝６１の内側の端面に当接することにより、スピーカーボックス２２の前面２２ａの最も外側への移動位置が決まる。このように、スピーカーボックス２２は、グリルネット３１の移動位置にかかわらず、前面２２ａに設けられたガイド凸部６０は、常にグリルネット３１の背面凹部内に位置し、外方に露出することがない。したがって、スピーカー装置１は、ガイド凸部６０が外部に露出することなく、外観デザインを損なうことがない。
【００４０】
次いで、グリルネット３１の移動に伴って、該グリルネット３１の背面側を覆う遮光シート７０について説明する。図２１に示すように、遮光シート７０は、グリルネット３１がスピーカーボックス２２の外側面２２ｂよりも外側に移動されることにより、背面側が透けてしまい、スピーカー装置１全体の外観が損なわれることを防止するものである。
【００４１】
この遮光シート７０は、弾性変形可能なシート状の遮光体であって、たとえば極く薄い板状にした金属製板バネや、遮光性ビニールシート、遮光性のある紙や布などである。図２２（ａ）及び図２２（ｂ）に示すように、遮光シート７０は、長尺状に形成され、長手方向の一端をグリルネット３１に結合され、長手方向の他端をスピーカーボックス２２内の支持バネ７３に支持されている。
【００４２】
遮光シート７０の一端を結合する結合部材７１は、グリルネット３１の長手方向の外側縁に設けられ、グリルネット３１の背面側で遮光シート７０の一端と結合されている。遮光シート７０の他端を支持する支持バネ７３は、遮光シート７０を支持する一端と反対側の他端をスピーカーボックス２２内部の背面側に取り付けられている。
【００４３】
また遮光シート７０は、スピーカーボックス２２内において外側面２２ｂの背面側と前面側に設けられたガイドローラ７４，７４にガイドされることによりスピーカーボックス２２内を、外側面２２ｂ及び背面側の各側面に沿って配設されている。そして、遮光シート７０は、スピーカーボックス２２の外側面２２ｂに設けられた導出孔７５より一端側が導出されグリルネット３１の背面側において結合部材７１と結合されている。
【００４４】
かかる遮光シート７０は、図２２（ａ）に示すように、支持バネ７３によって、常時スピーカーボックス２２内へ付勢されており、グリルネット３１がスピーカーボックス２２の最も内方に位置しているときは、スピーカーボックス２２内に収納されている。そして、遮光シート７０は、グリルネット３１がスピーカーボックス２２の外側面２２ｂよりも外側へ移動されると、図２２（ｂ）に示すように、結合部材７１によって一端側が引っ張られ、支持バネ７３の付勢力に対抗して導出孔７５より外部へ導出される。これにより遮光シート７０は、グリルネット３１の背面に沿って導出されていくため、グリルネット３１の背面側を遮光することができ、前方からみたときにグリルネット３１の背面側が透けてしまうことを防止することができる。また、遮光シート７０は、グリルネット３１の移動範囲に応じた長さを備えているため、グリルネット３１の移動位置にかかわらず、常に背面側の透過を防止することができる。
【００４５】
また、スピーカー装置１は、上述した遮光シート７０に代えて、図２３に示す遮光板８０を用いてもよい。この遮光板８０は、図２４及び図２５に示すように、略コ字状に形成され、相対向する上面８０ａ及び下面８０ｂが直角三角形をなし、その両斜辺を上辺及び下辺とする四角形状の側壁８０ｃを有する。また、遮蔽板８０は、板金の如き光を通さない薄板様の材質により形成されている。遮光板８０の上下面８０ａ，８０ｂには、両斜辺の一端及び他端の各近傍に、上下一対のピボット凸部８１とスライド凸部８２が立設されている。
【００４６】
ピボット凸部８１は、グリルネット３１に回動自在に支持されるものであり、遮光板８０の回動支点となる。スライド凸部８２は、スピーカーボックス２２に移動自在に支持されるものであり、遮光板８０によって常時グリルネット３１の背面を覆うようにその回動領域を規定する。
【００４７】
図２３に示すように、このピボット凸部８１を支持するグリルネット３１は、上下側壁３１ｃ，３１ｄの外側面３１ａ側に、遮光板８０の上下面８０ａ，８０ｂを収納する収納溝部８５が形成され、この収納溝部８５内にピボット凸部８１を支持するピボット凹部８６が設けられている。したがって、遮光板８０は、このピボット凹部８６を中心に回動される。
【００４８】
また、スライド凸部８２を支持するスピーカーボックス２２は、外側面２２ｂの上側及び下側に前後方向に亘って遮光板８０の上下面８０ａ，８０ｂを収納する収納凹部８７が形成され、この収納凹部８７内にスライド凸部８２を支持するスライド凹部８８が設けられている。収納凹部８７は、ピボット凸部８１を支点に回動する遮光板８０の上下面８０ａ，８０ｂが収納される領域であり、上下面８０ａ，８０ｂの回動可能な領域に亘って形成されている。またスライド凹部８８は、スピーカーボックス２２の前後方向に亘って形成され、遮光板８０のスライド凸部８２のスライド方向を規定することにより、遮光板８０の回動領域を規制している。
【００４９】
かかる遮光板８０は、グリルネット３１の移動に伴い、ピボット凸部８１を支点としてスライド凸部８２が前後に移動しながら回動されることにより、常時、グリルネット３１の背面側を上下面８０ａ，８０ｂ及び側壁８０ｃによって閉塞し、背面側の透過を防止する。具体的に、遮光板８０は、図２６（ａ）に示すように、グリルネット３１がスピーカーボックス２２の最も内側に位置されているとき、ピボット凸部８１がスピーカーボックス２２の外側面２２ｂ近傍に位置し、スライド凸部８２がスライド凹部８８の最も背面側にスライドされていることにより、側壁８０ｃがスピーカーボックス２２の側壁と平行とされ、また上下面８０ａ，８０ｂは、その大部分を収納凹部８７内に収納されている。これによりスピーカー装置１は、グリルネット３１の外側面３１ａと、スピーカーボックス２２の外側面２２ｂとが略面一とされている。なお、このとき、スピーカーボックス２２の前面２２ａは内方側の一部がグリルネット３１によって覆われずに外部に露出されている。
【００５０】
図２６（ｂ）及び図２６（ｃ）に示すように、ここからグリルネット３１が外方にスライドされると、遮光板８０は、ピボット凹部８６に係合するピボット凸部８１がスピーカーボックス２２の外方へ移動され、これに伴いスライド凸部８２がスライド凹部８８を前方に移動されていく。これにより、遮光板８０は、上下面８０ａ，８０ｂが収納凹部８７から外部へスライドされていき、また側壁８０ｃがグリルネット３１の外側面３１ａとスピーカーボックス２２の外側面２２ｂとの間に亘って回動されていく。このように、遮光板８０は、グリルネット３１の移動に伴って、グリルネット３１の背面を上下面８０ａ，８０ｂ及び側壁８０ｃによって覆うように回動し、常にグリルネット３１の背面を遮光する。
【００５１】
図２６（ｄ）に示すように、グリルネット３１が最も外方に移動されると、遮光板８０は、上下面８０ａ，８０ｂの一部が収納溝部８５に収納され、かつスライド凸部８２がスライド凹部８８の前端までスライドされる。これにより、グリルネット３１はさらなる外方への移動が規制されている。
【００５２】
かかる遮光板８０は、グリルネット３１がスピーカーボックス２２の最も内側と最も外側との間のいずれの位置に移動されていても、上下面８０ａ，８０ｂが、常にグリルネット３１に形成された収納溝部８５又はスピーカーボックス２２の収納凹部８７に収納されている。したがって、遮光板８０は、グリルネット３１の位置にかかわらず、上下面８０ａ，８０ｂ及び側壁８０ｃに覆われる空間が外部から遮蔽されているため、常に、前方からみたときにグリルネット３１の背面側が透けてしまうことを防止することができる。
【００５３】
また、スピーカー装置１は、グリルネット３１がスピーカーボックス２２の外側に移動した状態を、上下方向あるいは背面側より見た場合でも遮光板８０の上下面８０ａ，８０ｂ及び側壁８０ｃによって、スピーカーボックス２２とグリルネット３１間の段差を解消するとともに、遮光板８０の内部の空洞を隠蔽し、あたかも当初からデザインされたかのような良好な外見を与えることが可能となる。
【００５４】
次いで、グリルネット３１とともにスピーカーボックス２２をディスプレイ装置６の幅方向に移動させる実施例について説明する。図２７〜図２９に示すように、かかるスピーカー装置１のスタンド２は、プレーヤユニット４の左右両側にスピーカーユニット３を支持する一対の支持板９０，９０が形成されている。そして、支持板９０，９０は、ディスプレイ装置６の画像表示面と同じ側の前面９０ａ側にグリルネット３１が配され、反対側の背面９０ｂ側にスピーカーボックス２２が配され、これらグリルネット３１及びスピーカーボックス２２が支持板９０を介して一体に連結されるとともに、ディスプレイ装置６の幅方向に亘って移動自在に支持されている。
【００５５】
これにより、本発明が適用されたスピーカー装置１は、このスピーカーボックス２２及びグリルネット３１を、装着板１２に締結支持されたディスプレイ装置６の幅に合わせてスライドさせることで、統一的な外観デザインを作り出すものである。このため、スピーカーボックス２２及びグリルネット３１は、装着部１２にディスプレイ装置６が装着された状態でスライド可能に設計されている。
【００５６】
この支持板９０は、プレーヤユニット４の左右両側に形成されることにより、フレーム１１に形成された装着板１２の下方に位置され、また矩形状に形成されることにより、その上辺及び下辺がプレーヤユニット４の上辺及び下辺と面一とされて、統一感のある外観デザインを奏する。
【００５７】
また、支持板９０には、上辺及び下辺の近傍に、ディスプレイ装置６の幅方向と同方向に亘って、ガイド長孔９１が形成されている。ガイド長孔９１は、スピーカーボックス２２より突設されグリルネット３１に連結されているガイドピン９３が挿通され、このガイドピン９３をガイドすることにより、スピーカーボックス２２及びグリルネット３１を支持板９０に沿って移動させるものである。支持板９０は、二つのガイド長孔９１が上辺及び下辺近傍にそれぞれ並列して形成され、各ガイド長孔９１の長さによってスピーカーボックス２２及びグリルネット３１の移動領域を規定する。
【００５８】
また支持板９０は、上辺及び下辺近傍に形成されたガイド長孔９１，９１間に、スピーカーボックス２２を前面９０ａ側より臨ませる開口部９４が形成されている。開口部９４は、支持板９０の背面９０ｂ側に支持されたスピーカーボックス２２からの出力を遮ることがないように開口された領域であり、支持板９０の外側縁から内側に向かって略矩形状に開口されている。これにより支持板９０は、スピーカーボックス２２及びグリルネット３１が最も内側から最の外側のいずれの位置に移動された状態でもスピーカーボックス２２内に配されたスピーカーを前面９０ａ側へ臨ませ、出力を遮ることがない。
【００５９】
また支持板９０は、ディスプレイ装置６の画像表示面と同じ向きとなる前面９０ａがユーザから視認される体裁面として表面処理が施されている。表面処理としては、例えば塗装、木目調あるいはカラーのフィルムラッピング、シボ加工、鏡面加工等が挙げられる。
【００６０】
図３０に示すように、この支持板９０に支持されるスピーカーボックス２２及びグリルネット３１は、スピーカーボックス２２の前面２２ａから突設されているガイドピン９３がグリルネット３１に係合することにより連結されている。また、上述したように、ガイドピン９３が支持板９０のガイド長孔９１を挿通することにより、スピーカーボックス２２及びグリルネット３１は、支持板９０を介して前面９０ａ側と背面９０ｂ側に支持されている。
【００６１】
これらスピーカーボックス２２及びグリルネット３１は、ガイドピン９３がガイド長孔９１に挿通されることにより、その重量がガイドピン９３からガイド長孔９１を介して支持板９０及びプレーヤユニット４に伝達され、プレーヤユニット４が装着されるフレーム１１に支持されることとなる。
【００６２】
以上のようなスピーカー装置１は、図２７及び図３１（ａ）に示すように、スピーカーボックス２２及びグリルネット３１が支持板９０の最も内側、すなわち支持板９０の幅方向のプレーヤユニット４側へ移動されているときにも、支持板９０の前面９０ａの内側が一部露出されている。したがって、スピーカー装置１は、図２８及び図３１（ｂ）に示すように、スピーカーボックス２２及びグリルネット３１が支持板９０の外側、すなわち支持板９０の幅方向でプレーヤユニット４と反対側へ移動されると、この前面９０ａの露出領域が外側へ拡大することになる。ここで、上述したように、支持板９０の前面９０ａは、ユーザから視認される体裁面として表面処理が施されており、スピーカーボックス２２及びグリルネット３１の移動に伴い露出領域が外側に拡大しても、当初より露出していた体裁面が外側に拡大しただけであるため、外観デザインに違和感を与えることがなく、あたかも最初からスピーカーボックス２２及びグリルネット３１は外側に位置していたかのように見せることができる。
【００６３】
したがって、スピーカー装置１は、装着板１２に装着されるディスプレイ装置６の幅が、オーディオユニット５の幅よりも広い場合でも、スピーカーボックス２２及びグリルネット３１をディスプレイ装置６の幅方向に移動させることで、あたかもディスプレイ装置６の幅に最初から合わせて制作された製品としての外観を創出することができ、一体感のある外観デザインを得ることができる。したがって、スピーカー装置１は、ディスプレイ装置６のサイズにかかわらず、統一感を出すことができるため、あらかじめ所有するディスプレイ装置６や自分の好みにあったディスプレイ装置６を選択することができる。
【００６４】
なお、本実施例においては、スピーカーボックス２２及びグリルネット３１が一体的に移動するため、グリルネット３１の背面が透ける現象は起こらず、外観デザインを損なうことはない。
【００６５】
ところで、スピーカーボックス２２及びグリルネット３１が一体的に移動するスピーカー装置１では、スピーカーボックス２２の移動に伴って発音源である各スピーカー２４〜２７も移動するため、音像や音の広がり、音場などが変化する。すなわち、スピーカーユニット３は、発音体である左右のスピーカーボックス２２の距離を変化させることで、発音体である左右のスピーカーの距離を変化させてしまうので、そのままでは音像や音質、定位、音場などが微妙に変化してしまう。
【００６６】
そこで、かかるスピーカー装置１では、ＤＳＰ（Digital Signal Processer）１８を使って電気的に補正することとしている。ＤＳＰ１８は、スピーカーボックス２２の移動に伴う音像や音の広がり、音場などの変化を補正することができる。具体的には、スピーカーボックス２２の移動に伴ってその位置を検出するセンサー１００を配設し、その信号をＣＰＵ２３経由でＤＳＰ１８に与えることによって音の補正を行うことができる（図４）。
【００６７】
例えば、センサー１００として、スピーカーボックス２２の位置を検出する検出スイッチ１０１を用いることができる。この検出スイッチ１０１は、図３２に示すように、スピーカーボックス２２の移動領域上の所定の位置に複数配設され、スピーカーボックス２２の移動に伴ってＯＮ／ＯＦＦの切り替えが行われる。検出スイッチ１０１は、規定のサイズの薄型のディスプレイ装置６を装着した場合に、この各規定サイズのディスプレイ装置６の外側面に応じた各位置にスピーカーボックス２２が移動した際に、該スピーカーボックス２２が当接して押下される位置に設置される。これら検出スイッチ１０１は、プレーヤユニット４内に設けられたＣＰＵ２３によって押下状況がモニタされる。
【００６８】
ＣＰＵ２３は、押下状況からスピーカーボックス２２の位置を判定すると、この判定結果に応じてＤＳＰ１８に音像や音場等補正操作を指示する。ＤＳＰ１８による補正は、例えば、予め、所定のスピーカーボックス２２の移動位置に応じて音像や音の広がり、音場が最適になるように補正データを作っておき、この補正データに基づいて自動的に補正する。
【００６９】
かかる検出スイッチ１０１は、例えばサイズが４０インチ、４２インチ、４６インチのディスプレイ装置６が装着されたとき、これら各サイズに応じた位置（ａ、ｂ、ｃ）にスピーカーボックス２２が移動されると、該スピーカーボックス２２の移動位置（ａ、ｂ、ｃ）に応じて順次当接されていくように配設される。これにより、上記いずれかのサイズのディスプレイ装置６が装着されると、当該サイズに応じた位置までスピーカーボックス２２が移動され、移動された位置に応じて検出スイッチ１０１がＯＮあるいはＯＦＦとなる。そして、ＣＰＵ２３によって各検出スイッチ１０１の押下状況をモニタし、スピーカーボックス２２の移動位置を判定すると、当該移動位置に応じた補正がＤＳＰ１８に指示され、ＤＳＰ１８が予め定められた補正データに基づいて補正を行う。
【００７０】
また、スピーカー装置１は、センサー１００として、ロータリエンコーダ１１０を用いることもできる。図３３に示すように、ロータリエンコーダ１１０は、ギヤ１１１が同軸で取り付けられている。このギヤ１１１は、スピーカーボックス２２に設けられたラック部１１２と咬合され、スピーカーボックス２２の移動に伴ってラック部１１２上を回転する。これによりロータリエンコーダ１１０は、スピーカーボックス２２の移動距離に応じて回転され、この回転に合ったパルス信号或いはパターン信号が出力されてＣＰＵ２３に送られる。ＣＰＵ２３は、この信号によりスピーカーボックス２２の位置を検出でき、検出されたスピーカーボックス２２の位置に応じた音声の補正データをＤＳＰ１８に送る。これにより、ＤＳＰ１０は、スピーカーボックス２２が任意の位置にあっても、それに最適な音場補正をすることが可能となる。
【００７１】
以上、スピーカーボックス２２の位置を検出するセンサー１００の具体的実施方法を２例ほど挙げたが、このほかにも方法はあり、本発明が適用されたスピーカー装置１においては、他の方法を採用することができるのはもちろんである。
【００７２】
また、スピーカー装置１では、上述したセンサー１００を用いてスピーカーボックス２２の位置を検出し、検出された位置に応じてＤＳＰ１８による補正を行う方法以外にも、例えば、スピーカーからテスト信号音を出し、図示しないマイクロホンによって音を測定し、ＤＳＰ１８によって補正する方法や、スピーカーの移動範囲は限られていることから、予め補正データ（マップ）を作っておき、図示しない手動スイッチ等によって、これらのデータを選択しＤＳＰ１８を操作して補正する方法を採用することもできる。
【００７３】
また、スピーカー装置１は、ディスプレイ装置６の下部にスピーカーユニット３を配設したが、デザインに応じて、ディスプレイ装置６の上部や、上部及び下部に配設することもできる。また、スピーカー装置１は、オーディオユニット５のうち、プレーヤユニット４はスタンド２に支持されていなくともよく、別に設けたラック等に配設してもよい。また、スピーカー装置１は、音源としてＣＤやＤＶＤ等のディスク状記録媒体以外にも、ＴＶ放送、ラジオ放送、インターネットや有線放送等を通じて受信ないしダウンロードした楽曲や音声、あるいはパソコンやデジタルスチルカメラ、カムコーダ等を用いて自ら制作した楽曲や音声を出力するようにしてもよい。
【００７４】
また、スピーカー装置１は、左右一対のスピーカーボックス２２を移動可能とする以外にも、いずれか一方のスピーカーボックス２２だけを移動させる構成としてもよい。
【図面の簡単な説明】
【００７５】
【図１】ディスプレイ装置が装着されたスピーカー装置を示す正面図、側面図及び平面図である。
【図２】本発明が適用されたスピーカー装置を示す正面図、側面図及び平面図である。
【図３】装着板を示す正面図である。
【図４】プレーヤユニットを示すブロック図である。
【図５】スタンド及びスタンド内に配設されたスピーカーを示す図である。
【図６】ボス及びキャッチャーを用いてグリルネットを移動させるスピーカー装置を示す斜視図である。
【図７】ボス及びキャッチャーを用いてグリルネットを移動させるスピーカー装置を示す断面図である。
【図８】ボス及びキャッチャーを用いてグリルネットを移動させるスピーカー装置におけるグリルネットの移動領域を示す図である。
【図９】グリルネットによって開閉されるスピーカーボックスの前面を示す斜視図である。
【図１０】グリルネットがスピーカーボックスの外に移動されたスピーカー装置を、ディスプレイ装置が装着された状態で示す正面図、側面図及び平面図である。
【図１１】グリルネットがスピーカーボックスの外に移動されたスピーカー装置を示す正面図、側面図及び平面図である。
【図１２】面ファスナーを用いてグリルネットを移動させるスピーカー装置を示す斜視図である。
【図１３】面ファスナーを用いてグリルネットを移動させるスピーカー装置のグリルネット及びスピーカーボックスを示す側面図である。
【図１４】面ファスナーを用いてグリルネットを移動させるスピーカー装置において、グリルネットの移動領域を示す図である。
【図１５】ガイド軸及び軸受けを用いてグリルネットを移動させるスピーカー装置を示す斜視図である。
【図１６】ガイド軸及び軸受けを用いてグリルネットを移動させるスピーカー装置のグリルネット及びスピーカーボックスを示す側面図である。
【図１７】ガイド軸及び軸受けを用いてグリルネットを移動させるスピーカー装置のグリルネットの移動領域を示す図である。
【図１８】ガイド溝及びガイド凸部を用いてグリルネットを移動させるスピーカー装置を示す斜視図である。
【図１９】ガイド溝及びガイド凸部を用いてグリルネットを移動させるスピーカー装置のグリルネット及びスピーカーボックスを示す側面図である。
【図２０】ガイド溝及びガイド凸部を用いてグリルネットを移動させるスピーカー装置のグリルネットの移動領域を示す図である。
【図２１】遮光シートを備えるスピーカー装置を示す斜視図である。
【図２２】遮光シートの開閉動作を示す図である。
【図２３】遮光板を備えるスピーカー装置を示す斜視図である。
【図２４】遮光板を示す斜視図である。
【図２５】遮光板を備えるスピーカー装置の断面図であり図２３中ｗ−ｗ断面を示す。
【図２６】遮光板の開閉動作を示す図である。
【図２７】スピーカーボックス及びグリルネットを最も内側に移動させたスピーカー装置を示す正面図、側面図及び平面図である。
【図２８】スピーカーボックス及びグリルネットを最も外側に移動させたスピーカー装置を示す正面図、側面図及び平面図である。
【図２９】スピーカーボックス及びグリルネットを移動可能とされたスピーカー装置を示す分解斜視図である。
【図３０】スピーカーボックス及びグリルネットを移動可能とされたスピーカー装置を示す断面図である。
【図３１】スピーカーボックス及びグリルネットを移動可能とされたスピーカー装置において、スピーカーボックス及びグリルネットの移動領域を示す図である。
【図３２】スピーカーボックスの位置を検出するセンサーとして検出スイッチを用いた場合を示す図である。
【図３３】スピーカーボックスの位置を検出するセンサーとしてロータリエンコーダを用いた場合を示す図である。
【符号の説明】
【００７６】
１  スピーカー装置、２  スタンド、３  スピーカーユニット、４  プレーヤユニット、５  オーディオユニット、６  ディスプレイ装置、１０  スタンドベース、１１  フレーム、１２  装着板、１８  ＤＳＰ、２２  スピーカーボックス、２２ａ  前面、２２ｂ  外側面、２３  ＣＰＵ、３１  グリルネット、３１ａ  外側面、３３  ボス、３５  キャッチャー、４０  面ファスナー、５０  軸受け、５１  ガイド軸、６０  ガイド凸部、６１  ガイド溝、７０  遮光シート、８０  遮光板、９０  支持板、９１  ガイドピン、１００  センサー
【図１】
0004952431.tif 000002
【図２】
0004952431.tif 000003
【図３】
0004952431.tif 000004
【図４】
0004952431.tif 000005
【図５】
0004952431.tif 000006
【図６】
0004952431.tif 000007
【図７】
0004952431.tif 000008
【図８】
0004952431.tif 000009
【図９】
0004952431.tif 000010
【図１０】
0004952431.tif 000011
【図１１】
0004952431.tif 000012
【図１２】
0004952431.tif 000013
【図１３】
0004952431.tif 000014
【図１４】
0004952431.tif 000015
【図１５】
0004952431.tif 000016
【図１６】
0004952431.tif 000017
【図１７】
0004952431.tif 000018
【図１８】
0004952431.tif 000019
【図１９】
0004952431.tif 000020
【図２０】
0004952431.tif 000021
【図２１】
0004952431.tif 000022
【図２２】
0004952431.tif 000023
【図２３】
0004952431.tif 000024
【図２４】
0004952431.tif 000025
【図２５】
0004952431.tif 000026
【図２６】
0004952431.tif 000027
【図２７】
0004952431.tif 000028
【図２８】
0004952431.tif 000029
【図２９】
0004952431.tif 000030
【図３０】
0004952431.tif 000031
【図３１】
0004952431.tif 000032
【図３２】
0004952431.tif 000033
【図３３】
0004952431.tif 000034